(57)【要約】【課題】  接続線固定部を導線口に接近させることにより、電源接続線が上記接続線固定部を経由して直接上記導線口を貫穿して伸び入れて通過することにより、電源接続線の組立作業の便利性を高めることができる。【解決手段】  フレーム１０には導線口１６が形成される。複数個の連接部材２０のうちの一個の連接部材２０は接続線固定部２０’からなり、接続線固定部２０’には導線口１６に向くように結合端２１が形成され、結合端２１は導線口１６とは相対して連接するように形成される。基板３０はフレーム１０に結合され、基板３０には電気的接続ポート３２が形成される。電源接続線４０の一端は電気的接続ポート３２に接続され、かつ他端は電線口１６を貫穿して伸び入れるように形成される。ファンホイール５０は回転自在にフレーム１０の内側に結合するように構成されている。【選択図】  図１
2010283960.tif 000002
【特許請求の範囲】
【請求項１】
フレーム（１０）、複数個の連接部材（２０）、基板（３０）、電源接続線（４０）およびファンホイール（５０）を有するファンにおいて、フレーム（１０）には側壁部（１１）が形成され、側壁部（１１）の内側には収容空間（１２）が形成され、収容空間（１２）には軸座（１３）が設けられ、側壁部（１１）は収容空間（１２）の導線口（１６）と連通するように形成され、複数個の連接部材（２０）は軸座（１３）と側壁部（１１）との間に結合され、そのうちの一個の連接部材（２０）は接続線固定部（２０’）からなり、接続線固定部（２０’）にはフレーム（１０）の導線口（１６）に向くように結合端（２１）が形成され、結合端（２１）は導線口（１６）と相対して連接するように形成され、基板（３０）はフレーム（１０）に結合され、基板（３０）にはコイル組（３１）と電気的接続ポート（３２）が設けられ、コイル組（３１）と電気的接続ポート（３２）とは電気的に接続され、電源接続線（４０）は接続線固定部（２０’）に位置するように設けられ、電源接続線（４０）の一端は電気的接続ポート（３２）に接続され、かつ他端は電線口（１６）を貫穿して伸び入れるように配設され、ファンホイール（５０）にはハブ（５１）が形成され、ハブ（５１）には中心軸（５１１）と永久磁石（５１２）が設けられ、中心軸（５１１）は軸座（１３）と結合するのに用いられ、永久磁石（５１２）はコイル組（３１）と相対するように形成されることを特徴とするファン。
【請求項２】
接続線固定部（２０’）の結合端（２１）は軸座（１３）と導線口（１６）を通過する基準線（Ｌ）上に位置するように形成され、基板（３０）の電気的接続ポート（３２）はフレーム（１０）の導線口（１６）に向くように形成されることを特徴とする請求項１に記載のファン。
【請求項３】
接続線固定部（２０’）の結合端（２１）は軸座（１３）と導線口（１６）を通過する基準線（Ｌ）上に位置するように形成され、基板（３０ｂ）の外周縁には凸部（３３）が形成され、凸部（３３）は接続線固定部（２０’）と結合するとともに、フレーム（１０）の導線口（１６）に向くように形成され、電気的接続ポート（３２）は凸部（３３）の表面に形成されることを特徴とする請求項１に記載のファン。
【請求項４】
基板（３０ａ）の電気的接続ポート（３２）はファンホイール（５０）の永久磁石（５１２）の回転範囲の外に位置するように形成され、かつ電気的接続ポート（３２）は永久磁石（５１２）の外周縁と側壁部（１１）の内側壁との間に位置するように形成されることを特徴とする請求項１、２または３に記載の放熱ファン。
【請求項５】
導線口（１６）は位置決め部材（１７）と結合し、導線口（１６）には第一当接面（１６１）が形成され、位置決め部材（１７）には第二当接面（１７１）が形成され、第一当接面（１６１）と第二当接面（１７１）とは共同で電源接続線（４０）を押圧して挟むように形成されることを特徴とする請求項１、２または３に記載のファン。
【請求項６】
導線口（１６）は位置決め部材（１７）と結合し、導線口（１６）には第一当接面（１６１）が形成され、位置決め部材（１７）には第二当接面（１７１）が形成され、第一当接面（１６１）と第二当接面（１７１）とは共同で電源接続線（４０）を押圧して挟むように形成されることを特徴とする請求項４に記載のファン。
【請求項７】
導線口（１６）の第一当接面（１６１）には第一階段部（１６２）が形成され、位置決め部材（１７）の第二当接面（１７１）には第二階段部（１７２）が形成され、第二階段部（１６２）は第一階段部（１７２）に対応するように互いに嵌合されることを特徴とする請求項５に記載のファン。
【請求項８】
導線口（１６）は側壁部（１１）のその内の一個の隅の位置に位置するように形成されることを特徴とする請求項１、２または３に記載のファン。
【請求項９】
導線口（１６）は側壁部（１１）のその内の一個の隅の位置に位置するように形成されることを特徴とする請求項４に記載のファン。
【請求項１０】
フレーム（１０）の側壁部（１１）の内側には底板（１１１）が形成され、底板（１１１）は収容空間（１２）内において複数個の係止爪（１１２）が設けられ、軸座（１３）は底板（１１１）に結合されかつそれぞれの係止爪（１１２）の間に位置するように形成され、基板（３０）はフレーム（１０）の収容空間（１２）に結合されて底板（１１１）に当接するように形成され、それぞれの係止爪（１１２）は基板（３０）の外側周縁を係止して結合するように形成されることを特徴とする請求項１、２または３に記載のファン。
【請求項１１】
フレーム（１０）の側壁部（１１）の内側には底板（１１１）が形成され、底板（１１１）は収容空間（１２）の内において複数個の係止爪（１１２）が設けられ、軸座（１３）は底板（１１１）に結合され、かつそれぞれの係止爪（１１２）の間に位置するように形成され、基板（３０）はフレーム（１０）の収容空間（１２）に結合されて底板（１１１）に当接するように形成され、それぞれの係止爪（１１２）は基板（３０）の外側周縁を係止して結合するように形成されることを特徴とする請求項４に記載のファン。
【請求項１２】
コイル組（２１）はプリントパターンによって形成されて基板（３０）の表面に結合されることを特徴とする請求項１、２または３に記載の放熱ファン。
【請求項１３】
コイル組（２１）はプリントパターンによって形成されて基板（３０）の表面に結合されることを特徴とする請求項４に記載の放熱ファン。
【発明の詳細な説明】
【技術分野】
【０００１】
本発明は、ファンに関するもので、特に電源接続線の組立作業がさらに簡単になるとともに、リブ（または静的羽根）を有するファンに係るものである。
【背景技術】
【０００２】
従来のファンの構造として、通常としては電源接続線を有し、そして上記電源接続線の位置を妥当に処理して按排することにより、上記ファンが実際の運転過程において上記電源接続線が緩んで脱落したり、ファンに巻き込まれたりするのを有効に避けることにより、上記ファンの正常な運転を維持することができる。また、現在市場でよく見られている各種のファンにとって言えば、大体として二種が分けられ、そのうちの一種のファンにはリブ（静的羽根）の設計を有せず、そしてもう一種のファンにはリブ（または静的羽根）の設計を有し、また上記二種の従来のファンにおける電源接続線の処理方式も異なるものである。
【０００３】
例を挙げて言えば、例えば中華民国公告番号第４４９６８２号「超薄型冷却ファンの構造」（特許文献１を参照）および中華民国新型公告番号第４４３４３５号「送風ファンの電線係止部材の構造改良」（特許文献２を参照）においては、前述した第一種の従来のファンが掲示されている。上記第一種の従来のファンにおいては、主に框体（またはファン座と称す）において溝道（または導線溝と称す）を形成することにより、電源接続線は直接上記溝道（または導線溝と称す）を経由して外部まで貫穿して伸び入れて電源と外接することができるようにとしたものがある。
【０００４】
また、従来のファンの構造として、例えば中華民国新型公告番号第５０２８２１号「ファンの線整理構造」（特許文献３を参照）において、図９を参照すると、前述した第二種の従来のファンが掲示されている。従来のファン７０には線整理構造（すなわちリブである）７１と複数個の導風孔７３が含まれる。線整理構造７１には底部７１１、二個の側面支持部７１２、７１２と二個の止め板部７１３、７１３が含まれる。これにより、線整理構造７１により線材（すなわち電源接続線である）７２を迂回の方式で底部７１１、側面支持部７１２および止め板部７１３の間に設置することができるようにとしたものがある。
【先行技術文献】
【特許文献】
【０００５】
【特許文献１】中華民国公告番号第４４９６８２号
【特許文献２】中華民国新型公告番号第４４３４３５号
【特許文献３】中華民国新型公告番号第５０２８２１号
【発明の概要】
【発明が解決しようとする課題】
【０００６】
上記のような中華民国公告番号第４４９６８２号と中華民国新型公告番号第４４３４３５号に掲示されている従来のファンにおいて、一般として下記の問題点を有している。従来のファンによれば、電源接続線は直接溝道を経由して外部まで貫穿して伸び入れて電源と外接することができるが、上記電源接続線は相変わらず相当複雑な巻き付けによる固定方式を利用しなければならないため、組立上において大変不便になるという問題点があった。
【０００７】
また、上記のような中華民国新型公告番号第５０２８２１号に掲示されている上記第二種の従来のファン７０において、一般として下記の問題点を有している。従来のファン７０において、線材７２がファン７０の外部まで貫穿して伸び入れた時、線材７２によって導風孔７３を遮蔽して送風の効果に影響を与えないようにするべく、一般として先ず線材７２の一端をファン７０の下方の導風口７３を貫穿して外部まで延伸させてから、再び迂回による巻き線の方式を通じて線材７２を順序よく底部７１１、側面支持部７１２と止め板部７１３の間に係止させなければならず、このようにして線材７２によって導風孔７３を遮蔽することがないように確保することができるが、線材７２の組立作業の難度が増えてしまうのも事実である。その他に、従来のファン７０によれば、線材７２を固定する構造としても相当に複雑であるため、全体の製造コストも相対的に高くなるという問題点があった。このように、全体としてリブ（または静的羽根）の設計を有する上記のような従来のファン７０の構造をさらに改良しなければならない。
【０００８】
本発明はこのような問題点に鑑みて発明したものであって、その主な目的とするところは、従来のリブを有するファンによる電源接続線の巻き付けの固定作業に難度が増えてしまうとともに、組立上において大変不便になるという問題点を解決することができるファンを提供しようとするものである。
【０００９】
本発明の第二な目的は、全体の軸方向の高さを有効に低く抑えることができるファンを提供しようとするものである。
【課題を解決するための手段】
【００１０】
上記目的を達成するために、本発明によるファンは、下記のようになるものである。すなわち、
フレーム、複数個の連接部材、基板、電源接続線およびファンホイールを有する。フレームには側壁部が形成され、側壁部の内側には収容空間が形成され、収容空間には軸座が設けられ、側壁部は収容空間の導線口と連通するように形成される。複数個の連接部材は軸座と側壁部との間に結合され、そのうちの一個の連接部材は接続線固定部からなり、接続線固定部には導線口に向くように結合端が形成され、結合端は導線口とは相対して連接するように形成される。基板はフレームに結合され、基板にはコイル組と電気的接続ポートが設けられ、コイル組と電気的接続ポートとは電気的に接続される。電源接続線は接続線固定部に位置するように形成され、電源接続線の一端は電気的接続ポートに接続され、かつ他端は電線口を貫穿して伸び入れるように形成される。ファンホイールにはハブが形成され、ハブには中心軸と永久磁石が設けられ、中心軸は軸座と結合するのに用いられ、永久磁石はコイル組とは相対するように形成される。
【００１１】
また、本発明によるファンは、接続線固定部の結合端は軸座と導線口を通過する基準線上に位置するように形成され、基板の電気的接続ポートはフレームの導線口に向くように形成されることもできる。また、接続線固定部の結合端は軸座と導線口を通過する基準線上に位置するように形成され、基板の外周縁には凸部が形成され、凸部は接続線固定部と結合するとともに、フレームの導線口に向くように形成され、電気的接続ポートは凸部の表面に形成されることもできる。また、基板の電気的接続ポートはファンホイールの永久磁石の回転範囲の外に位置するように形成され、かつ電気的接続ポートは永久磁石の外周縁と側壁部の内側壁との間に位置するように形成されることもできる。また、導線口は位置決め部材と結合し、導線口には第一当接面が形成され、位置決め部材には第二当接面が形成され、第一当接面と第二当接面とは共同で電源接続線を押圧して挟むように形成されることもできる。また、導線口の第一当接面には第一階段部が形成され、位置決め部材の第二当接面には第二階段部が形成され、第二階段部は第一階段部に対応するように互いに嵌合されることもできる。また、導線口は側壁部のその内の一個の隅の位置に位置するように形成されることもできる。また、フレームの側壁部の内側には底板が形成され、底板は収容空間の内において複数個の係止爪が設けられ、軸座は底板に結合され、かつそれぞれの係止爪の間に位置するように形成され、基板はフレームの収容空間に結合されて底板に当接するように形成され、それぞれの係止爪は基板の外側周縁を係止して結合するように形成されることもできる。また、コイル組はプリントパターンによって形成されて基板の表面に結合されることもできる。
【発明の効果】
【００１２】
本発明の請求項１のファンによれば、上記接続線固定部は上記導線口とはより接近になるように形成されることにより、上記電源接続線が上記接続線固定部を経由して直接上記導線口を貫穿して伸び入れて通過するのを確保することができるため、電源接続線の組立の便利性を高めることができるという利点がある。
【００１３】
本発明の請求項２のファンによれば、上記電気的接続ポートは上記導線口とはより接近になるように形成されることにより、上記電源接続線の他端はより一層簡単に上記接続線固定部を経由して直接上記導線口を貫穿して伸び入れて通過することができるため、上記電源接続線は巻き付けの方式を利用して上記導線口から伸び出る必要性がないという利点がある。
【００１４】
本発明の請求項４のファンによれば、上記ファンホイールの永久磁石から上記基板までの間に形成される間隔は、上記電気的接続ポートと電源接続線を収容する必要がないため、上記間隔を適当に縮小することができ、上記ファンの軸方向の高さを有効に低く抑えることができるという利点がある。
【００１５】
本発明の請求項３のファンによれば、上記電気的接続ポートはさらに上記導線口に接近するように形成され、上記電源接続線はさらに容易に上記導線口を貫穿して伸び入れることができるため、より一層組立の便利性を高めることができるという利点がある。
【００１６】
本発明の請求項５、６のファンによれば、上記電源接続線の結合の安定性を高めることができるという利点がある。
【００１７】
本発明の請求項７のファンによれば、上記電源接続線が引っ張りによって脱落するのを防止することができるという利点がある。
【００１８】
本発明の請求項８、９のファンによれば、上記電気的接続ポートと上記導線口との間の距離をさらに短縮することができるため、上記電源接続線を迅速かつ簡単に直接上記導線口を経由して上記フレームの外部まで貫穿して伸び入れることができるという利点がある。
【００１９】
本発明の請求項１０、１１のファンによれば、上記基板と上記フレームの両者の結合の安定性を高めることができるという利点がある。
【００２０】
本発明の請求項１２、１３のファンによれば、上記基板の軸方向の高さを低く抑えることができるという利点がある。
【図面の簡単な説明】
【００２１】
【図１】本発明の実施形態のファンによる分解斜視図である。
【図２】本発明の実施形態のファンによる組み立てられた状態の平面図である。
【図３】本発明の実施形態のファンが位置決め部材により電源接続線を押圧する状態の分解斜視図である。
【図４】本発明の実施形態のファンによる基板の電気的接続ポートが永久磁石の外に位置する状態の分解斜視図である。
【図５】本発明の実施形態のファンによる基板の電気的接続ポートが永久磁石の外に位置する組み立てられた状態の平面図である。
【図６】本発明の実施形態のファンによる基板の電気的接続ポートが永久磁石の外に位置する組み立てられた状態の断面図である。
【図７】本発明の実施形態のファンによる基板が凸部を有する状態の分解斜視図である。
【図８】本発明の実施形態のファンによる基板が凸部を有する組み立てられた状態の平面図である。
【図９】従来のファンによる底部の説明図である。
【発明を実施するための形態】
【００２２】
本発明の実施の形態について、以下、図面を参照して説明する。
【００２３】
図１は本発明の実施形態のファンによる分解斜視図で、図２は本発明の実施形態のファンによる組み立てられた状態の平面図である。図１、２を参照すると、本発明の実施形態のファンには少なくともフレーム１０、複数個の連接部材２０、基板３０、電源接続線４０およびファンホイール５０が含まれる。フレーム１０はリブ（または静的羽根）を有するフレームの構造からなる。複数個の連接部材２０（すなわちリブまたは静的羽根）はフレーム１０内側に位置するように形成される。基板３０はフレーム１０の内側に結合され、基板３０はファンホイール５０が回転して作動するのを駆動するのに用いられる。電源接続線４０は基板３０と電気的に接続され、そしてそのうちの一個の連接部材２０とは結合するように形成されることにより、電源と外接することができる。ファンホイール５０は回転自在にフレーム１０の内側に結合されることにより、送風による放熱の効果を提供することができる。
【００２４】
フレーム１０には側壁部１１が形成され、側壁部１１の内側には囲むように収容空間１２が形成され、収容空間１２の内には軸座１３が設けられる。また、フレーム１０には他に収容空間１２と連通するための風入口１４と風出口１５が設けられる。また、側壁部１１には導線口１６が形成され、導線口１６は収容空間１２と連通するように形成され、そして導線口１６は好ましくはフレーム１０の側壁部１１のそのうちの一個の隅の位置に位置するように形成される。
【００２５】
複数個の連接部材２０は軸座１３と側壁部１１との間に結合され、そのうちの一個の連接部材２０は接続線固定部２０’からなり、接続線固定部２０’には導線口１６に向くように結合端２１が形成され、結合端２１はフレーム１０の導線口１６とは相対して連接するように形成される。
【００２６】
基板３０はフレーム１０の収容空間１２の内に設置され、そして好ましくは軸座１３とは互いに結合するように形成される。基板３０にはコイル組３１と電気的接続ポート３２が設けられる。コイル組３１は好ましくはプリントパターンによって形成され、またはその他の適当な方式を利用して基板３０の表面に整合されることにより、基板３０の軸方向の高さをより一層低く抑えることができる。電気的接続ポート３２はコイル組３１とは電気的な接続状態に形成される。
【００２７】
電源接続線４０は接続線固定部２０’を通過することにより、電源接続線４０がフレーム１０の風出口１５を遮蔽しないのを確保することができるため、その送風の効果に影響を与えるのを避けることができる。電源接続線４０は好ましくは接続線固定部２０’の表面に固定されることにより、以確保該電源接続線４０が任意に移動したり脱落したりしないように確保することができる。そのうち、電源接続線４０と接続線固定部２０’との両者の固定方式は粘着、係合または適当な固定部材を採用して固定を行うことができる。
【００２８】
その他に、電源接続線４０の一端は基板３０の電気的接続ポート２２に接続され、そして電源接続線４０の他端は接続線固定部２０’を通過した後、直接フレーム１０の導線口１６を経由して外部まで貫穿して伸び入れるように形成されるため、電源と外接することができる。そのうち、電源接続線４０は各種の固定手段（例えば粘着または固定部材を利用して固定するなど）を利用して導線口１６に固定することができるため、電源接続線４０が任意に緩んで移動するのを防止することができる。これにより、電源接続線４０を利用してファンホイール５０が回転して作動するのに必要とする電流を基板３０のコイル組３１に提供することができる。
【００２９】
ファンホイール５０にはハブ５１が形成され、ハブ５１には中心軸５１１と永久磁石５１２が設けられ、中心軸５１１は軸座１３に結合されることにより、ファンホイール５０はフレーム１０の内側において回転して作動することができ、永久磁石５１２はコイル組３１とは相対するように形成される。
【００３０】
本発明のファンを実際に使用する時、コイル組３１と永久磁石５１２との間には磁束鎖交の作用が生じられるため、ファンホイール５０が回転して作動するのを連動することができる。これにより、本発明のファンは風入口１４から気流を引き入れることができ、そしてファンホイール５０を利用してより一層上記気流を駆動して風出口１５を経由して外部の空間まで排出することができるため、ファンが各種の電子装置または電子儀器に取り付けられる時、一定の放熱の作用を提供することができる。
【００３１】
前述した構造の特徴によれば、本発明の実施形態によるファンは少なくとも下記の主な利点を有しており、そのうちの一個の連接部材２０を接続線固定部２０’として選定し、そして接続線固定部２０’の結合端は対応するように導線口１６と連接することにより、接続線固定部２０’は導線口１６に接近するように形成される。これにより、電源接続線４０の一端が電気的接続ポート３２に接続された後、電源接続線４０の他端は直接導線口１６を経由してフレーム１０外部まで貫穿して伸び入れることができる。このように、電源接続線４０はフレーム１０内部において巻き付けの方式を利用することなく導線口１６を貫穿して伸び入れて通過することができ、すなわち電源接続線４０は比較的真直ぐに導線口１６を貫穿して伸び入れて通過することができるため、さらに接続線固定部２０’を利用して電源接続線４０を有効に固定することができるため、電源接続線４０の組立上の便利性を高めることができる。さらに、本発明のファンは実際の運転において、電源接続線４０がファンホイール５０の中に巻き込まれるのを避けることができる。
【００３２】
上述した本発明の構造の設計概念によれば、本発明においてはその他の附属構造の特徴を変化させることにより、本発明のファンの功能をより一層完全なものに形成させることができる。
【００３３】
そのうち、図１、２を参照すると、軸座１３から導線口１６まで延伸するように基準線Ｌが形成され、基準線Ｌは主に軸座１３と導線口１６を通過するように形成される。接続線固定部２０’の結合端２１は好ましくは基準線Ｌ上に位置するように形成され、基板３０の電気的接続ポート３２は対応するようにフレーム１０の導線口１６に向くように形成される。これにより、電気的接続ポート３２がより一層導線口１６に接近するとの条件において、電源接続線４０の他端はさらに簡単に接続線固定部２０’を経由して導線口１６を貫穿して伸び入れて通過することができるため、電源接続線４０の組立上の便利性を高めることができる。
【００３４】
再び図１、２を参照すると、フレーム１０の側壁部１１の内側には好ましくは底板１１１が形成され、底板１１１は収容空間１２の内において複数個の係止爪１１２が設けられ、軸座１３は底板１１１と結合するように形成され（一体成形または組み立ての方式を利用して結合を行うことができる）、そしてそれぞれの係止爪１１２の間に位置するように形成される。また、それぞれの連接部材２０の一端は側壁部１１の内側壁と連接し、そして他端は底板１１１の外周縁と連接するように形成される。これにより、基板３０がフレーム１０の収容空間１２に設置され、そして底板１１１に当接される時、それぞれの係止爪１１２は基板３０の外側の周縁に係止して結合されることにより、基板３０により一層安定した結合の効果を提供することができる。
【００３５】
再び図１、２を参照すると、フレーム１０の導線口１６は好ましくは位置決め部材１７と結合し、そのうちに導線口１６には第一当接面１６１が形成され、位置決め部材１７には第二当接面１７１が形成される。これにより、電源接続線４０が導線口１６を貫穿して伸び入れた後、位置決め部材１７を導線口１６に結合させることにより、第一当接面１６１と第二当接面１７１を利用して共同で電源接続線４０を押圧して挟むように形成されるため、電源接続線４０の固定効果を高めることができ、そして電源接続線４０の一端が任意に電気的接続ポート３２から緩んで脱落しないのを確保することができる。
【００３６】
図３は本発明の実施形態のファンが位置決め部材により電源接続線を押圧する状態の分解斜視図である。図３を参照すると、導線口１６の第一当接面１６１にはさらに第一階段部１６２が形成され、位置決め部材１７の第二当接面１７１には好ましくは第一階段部１６２の形状に対応するように第二階段部１７２が形成され、さらに第一階段部１６２と第二階段部１７２とは互いに対応するように嵌合される。これにより、第一当接面１６１と第二当接面１７１が共同で電源接続線４０を押圧して挟むように形成される時、電源接続線４０は第一階段部１６２と第二階段部１７２によって図３に示されるような折り曲げの状態が形成される。それにより、比較的よい引っ張り防止の功能を提供することにより、外力によって不意に電源接続線４０を引っ張ってしまうのを防止することができるため、電源接続線４０の一端が電気的接続ポート３２から緩んで脱落しないのを確保することができる。
【００３７】
図４は本発明の実施形態のファンによる基板の電気的接続ポートが永久磁石の外に位置する状態の分解斜視図で、図５は本発明の実施形態のファンによる基板の電気的接続ポートが永久磁石の外に位置する組み立てられた状態の平面図である。図４、５を参照すると、本発明の実施形態のもう一種の基板３０ａの構造が掲示されている。基板３０ａの電気的接続ポート３２は好ましくはファンホイール５０の永久磁石５１２の回転範囲の外に位置するように形成され、詳しく言えば、電気的接続ポート３２は永久磁石５１２の外周縁と側壁部１１の内側壁との間に位置するように形成される。これにより、図６に示されている本発明の実施形態のファンによる基板の電気的接続ポートが永久磁石の外に位置する組み立てられた状態の断面図において、ファンホイール５０の永久磁石５１２から基板３０ａまでの間に形成される間隔Ｄは電気的接続ポート３２（例えば溶接点など）と電源接続線４０を収容する必要がないことにより、間隔Ｄを相対的に適当な距離まで縮小させることができ、そしてファンの全体の軸方向の高さを有効に低く抑えることができる。
【００３８】
図７は本発明の実施形態のファンによる基板が凸部を有する状態の分解斜視図で、図８は本発明の実施形態のファンによる基板が凸部を有する組み立てられた状態の平面図である。図７、８を参照すると、本発明の実施形態のもう一種の基板３０ｂの構造が掲示されている。接続線固定部２０’の結合端２１は好ましくは基準線Ｌ上に位置するように形成され、そして接続線固定部２０’の位置に合わせて基板３０ｂの外周縁には好ましくは凸部３３が形成され、凸部３３はフレーム１０の導線口１６に向くように形成され、凸部３３も基準線Ｌ上に位置するように形成される。その他に、凸部３３は接続線固定部２０’と結合することができ、電気的接続ポート３２は凸部２３の表面に形成される。これにより、基板３０ｂの凸部３３の設計により、同様に基板３０ｂの電気的接続ポート３２をファンホイール５０の永久磁石５１２の回転範囲の外に位置させることができる。さらに重要なのは、凸部３３が接続線固定部２０’に結合された後、電気的接続ポート３２は凸部３３の表面に形成されることにより、電気的接続ポート２２はより一層導線口１６に近付くことができ、そして電源接続線４０をさらに簡単に導線口１６を貫穿して伸び入れて通過させることができるため、電源接続線４０の組立上の便利性をより一層高めることができる。
【産業上の利用可能性】
【００３９】
上述の如く、本発明のファンによれば、確実に接続線固定部２０’の結合端２１を利用して対応するように導線口１６に連接される結構の設計により、従来のリブ（または静的羽根）を有するファンの構造が有した電源接続線３０の取り付けが困難であるという問題点を改善することができるため、接続線固定部２０’はより一層導線口１６に近付くことができ、そして電源接続線４０はさらに簡単に接続線固定部２０’を経由して直接導線口１６を貫穿して伸び入れて通過することができるため、電源接続線４０の組立上の便利性を有効に高めることができる。
【００４０】
本発明は、その精神及び必須の特徴事項から逸脱することなく他のやり方で実施することができる。従って、本明細書に記載した好ましい実施形態は例示的なものであり、限定的なものではない。
【符号の説明】
【００４１】
１０    フレーム
１１    側壁部
１１１    底板
１１２    係止爪
１２    収容空間
１３    軸座
１４    風入口
１５    風出口
１６    導線口
１６１    第一当接面
１６２    第一階段部
１７    位置決め部材
１７１    第二当接面
１７２    第二階段部
２０    連接部材
２０’    接続線固定部
２１    結合端
３０、３０ａ、３０ｂ    基板
３１    コイル組
３２    電気的接続ポート
３３    凸部
４０    電源接続線
５０    ファンホイール
５１    ハブ
５１１    中心軸
５１２    永久磁石
７０    ファン
７１    線整理構造
７１１    底部
７１２    側面支持部
７１３    止め板部
７２    線材
７３    導風孔
【図１】
2010283960.tif 000003
【図２】
2010283960.tif 000004
【図３】
2010283960.tif 000005
【図４】
2010283960.tif 000006
【図５】
2010283960.tif 000007
【図６】
2010283960.tif 000008
【図７】
2010283960.tif 000009
【図８】
2010283960.tif 000010
【図９】
2010283960.tif 000011